(57)【要約】【課題】口元および首回りを覆うように着用することができる筒状衣料品であって、着用者が息苦しさを覚えにくい筒状衣料品を提供する。【解決手段】口元生地パーツ４と首回り生地パーツ７とを有する筒状衣料品１であって、筒状衣料品１の側面視で、口元生地パーツ４の前側縁が前方に凸となる形状を有する。【選択図】図１
0003231498.tif 000002
【実用新案登録請求の範囲】
【請求項１】
口元生地パーツと首回り生地パーツとを有する筒状衣料品であって、
筒状衣料品の側面視で、前記口元生地パーツの前側縁が前方に凸となる形状を有することを特徴とする筒状衣料品。
【請求項２】
前記口元生地パーツは内側層と外側層を有する請求項１に記載の筒状衣料品。
【請求項３】
前記内側層がメッシュ生地から構成され、前記外側層が織布または編布から構成されている請求項２に記載の筒状衣料品。
【請求項４】
前記口元生地パーツと前記首回り生地パーツの間に接続パーツが設けられている請求項１〜３のいずれか一項に記載の筒状衣料品。
【請求項５】
前記内側層は前記外側層の外縁よりも外方に延在しており、前記外側層と前記首回り生地パーツの間に、前記内側層の生地から構成された接続領域が形成されている請求項２または３に記載の筒状衣料品。
【請求項６】
前記接続パーツまたは前記接続領域はメッシュ生地から構成されている請求項４または５に記載の筒状衣料品。
【請求項７】
前記接続パーツまたは前記接続領域は、前記口元生地パーツの側方に設けられ、前記口元生地パーツの下方には設けられていない請求項４〜６のいずれか一項に記載の筒状衣料品。
【請求項８】
前記接続パーツまたは前記接続領域は、前記口元生地パーツの側方から下方にかけて設けられ、前記口元生地パーツの側方側の幅が前記口元生地パーツの下方側の幅よりも広い請求項４〜６のいずれか一項に記載の筒状衣料品。
【請求項９】
前記口元生地パーツの伸長応力は前記首回り生地パーツの伸長応力よりも大きい請求項１〜８のいずれか一項に記載の筒状衣料品。
【請求項１０】
前記筒状衣料品は、上側開口縁の長さが下側開口縁の長さよりも長い請求項１〜９のいずれか一項に記載の筒状衣料品。
【請求項１１】
前記筒状衣料品には、上側開口縁に沿って、上側開口の大きさを調節できる絞り紐が設けられている請求項１〜１０のいずれか一項に記載の筒状衣料品。
【考案の詳細な説明】
【技術分野】
【０００１】
本考案は、口元および首回りを覆うように着用することができる筒状衣料品に関するものである。
【背景技術】
【０００２】
従来、口元や首回りを覆うように着用することができる筒状衣料品が様々知られている（例えば、特許文献１、２）。
【先行技術文献】
【特許文献】
【０００３】
【特許文献１】実用新案登録第３２０７５６７号公報
【特許文献２】米国特許第６７５４９０９号明細書
【考案の概要】
【考案が解決しようとする課題】
【０００４】
筒状衣料品は、日差しから着用者の肌を守ったり、保温や保冷など、様々な目的で着用することができる。また、口元を覆うように着用することで、着用者の口から飛沫が飛び散るのを抑えたり、着用者の口に異物が入り込むのを抑えることができる。一方、筒状衣料品を口元や首回りを覆うように着用すると、着用者の口元が筒状衣料品で強く押さえつけられ、着用者が息苦しさを覚えるおそれがあり、特に運動の際などには息苦しさを強く覚えやすくなる。本考案は前記事情に鑑みてなされたものであり、その目的は、着用者が息苦しさを覚えにくい筒状衣料品を提供することにある。
【課題を解決するための手段】
【０００５】
前記課題を解決することができた本考案の筒状衣料品とは、口元生地パーツと首回り生地パーツとを有し、筒状衣料品の側面視で、口元生地パーツの前側縁が前方に凸となる形状を有するところに特徴を有する。本考案の筒状衣料品はこのように構成されることにより、口元生地パーツをカップ状に立体的に形成することができる。そのため、筒状衣料品を着用した際に、着用者の口の周りや鼻の周りに適度な空間が確保され、着用者が息苦しさを覚えにくくなる。例えば、筒状衣料品を着用してランニングをした場合などでも、着用者が息苦しさを覚えにくくなる。
【０００６】
口元生地パーツは内側層と外側層を有することが好ましい。これにより、着用者の口から飛沫が飛び散るのを抑えたり、また着用者の口に異物が入り込むのを抑えることができる。
【０００７】
口元生地パーツは、内側層がメッシュ生地から構成され、外側層が織布または編布から構成されていることが好ましい。このように口元生地パーツが構成されていれば、筒状衣料品を着用した際に、口元生地パーツの内側層が着用者の口に張り付きにくくなり、着用者が息苦しさを覚えにくくなる。一方、口元生地パーツの外側層が織布または編布から構成されることにより、着用者の口から飛沫が飛び散るのを抑えたり、着用者の口に異物が入り込むのを抑えることができる。
【０００８】
口元生地パーツと首回り生地パーツの間には接続パーツが設けられてもよい。あるいは、内側層が外側層の外縁よりも外方に延在しており、外側層と首回り生地パーツの間に内側層の生地から構成された接続領域が形成されていてもよい。この場合、接続パーツまたは接続領域は、メッシュ生地から構成されていることが好ましい。このように接続パーツまたは接続領域が構成されていれば、筒状衣料品を着用した際に、口元生地パーツで着用者の口元を覆いつつ、接続パーツまたは接続領域での通気性が高まり、着用者が息苦しさを覚えにくくなる。
【０００９】
接続パーツまたは接続領域は、口元生地パーツの側方に設けられ、口元生地パーツの下方には設けられていないことが好ましい。あるいは、接続パーツまたは接続領域は、口元生地パーツの側方から下方にかけて設けられ、口元生地パーツの側方側の幅が口元生地パーツの下方側の幅よりも広いことが好ましい。このように接続パーツまたは接続領域が設けられていれば、筒状衣料品を着用した際に、口元生地パーツで着用者の口元を安定して覆うことができる。接続パーツまたは接続領域がメッシュ生地から構成される場合は、接続パーツまたは接続領域を介して筒状衣料品の内側と外側での通気性を高めることができる。
【００１０】
口元生地パーツの伸長応力は首回り生地パーツの伸長応力よりも大きいことが好ましい。このように筒状衣料品が構成されることにより、口元生地パーツによって着用者の口や鼻を安定して覆いやすくなるとともに、口元生地パーツが着用者の口や鼻に過度に密着せず、着用感を高めることができる。
【００１１】
筒状衣料品は、上側開口縁の長さが下側開口縁の長さよりも長いことが好ましい。このように筒状衣料品が構成されていれば、筒状衣料品を着用した際、着用者の口や鼻が筒状衣料品によって強く押さえつけられず、筒状衣料品の着用感が向上する。
【００１２】
筒状衣料品には、上側開口縁に沿って、上側開口の大きさを調節できる絞り紐が設けられていることが好ましい。このように絞り紐が設けられていれば、着用者の口や鼻を覆うように筒状衣料品を着用した際、絞り紐を引っ張って上側開口の大きさを絞ることで、筒状衣料品を安定して着用することができる。
【考案の効果】
【００１３】
本考案の筒状衣料品は、口元生地パーツと首回り生地パーツが互いに異なるパーツから構成され、口元生地パーツの前側縁が前方に凸となる形状を有するため、口元生地パーツをカップ状に立体的に形成することができる。そのため、筒状衣料品を着用した際に、着用者の口の周りや鼻の周りに適度な空間が確保され、着用者が息苦しさを覚えにくくなる。例えば、筒状衣料品を着用してランニングをした場合などでも、着用者が息苦しさを覚えにくくなる。
【図面の簡単な説明】
【００１４】
【図１】本考案の筒状衣料品の一例として、筒状衣料品の斜視図を表す。
【図２】図１に示した筒状衣料品を側面から見た平面図を表す。
【図３】図２に示した筒状衣料品のＩＩＩ−ＩＩＩ断面の模式図を表す。
【図４】本考案の筒状衣料品の他の一例を表し、筒状衣料品の斜視図を表す。
【図５】図４に示した筒状衣料品を側面から見た平面図を表す。
【図６】図５に示した筒状衣料品のＶＩ−ＶＩ断面の模式図を表す。
【図７】本考案の筒状衣料品の他の一例を表し、筒状衣料品の斜視図を表す。
【図８】図７に示した筒状衣料品を側面から見た平面図を表す。
【図９】図８に示した筒状衣料品のＩＸ−ＩＸ断面の模式図を表す。
【考案を実施するための形態】
【００１５】
本考案の筒状衣料品について、図面を参照して説明する。なお、本考案は、図面に示された実施態様に限定されるものではない。
【００１６】
図１〜図３には本考案の筒状衣料品の構成例を示した。図１は、筒状衣料品の斜視図を表し、図２は、図１に示した筒状衣料品を側面から見た平面図、すなわち筒状衣料品を側面から見て平面状に広げた状態の平面図を表し、図３は、図２に示した筒状衣料品のＩＩＩ−ＩＩＩ断面の模式図を表す。
【００１７】
筒状衣料品１は、上側開口と下側開口を有する筒状に形成された衣料品である。筒状衣料品１は、ネックゲイターとも称され、着用者の口元および首回りを覆うように着用される。筒状衣料品１は、口元に当てる部分を下にずらして首回りのみを覆うように着用することも可能である。
【００１８】
筒状衣料品１は、上下方向と前後方向と左右方向を有する。筒状衣料品１の上下方向は、筒状衣料品１を着用した際の着用者の身長方向に対応し、筒状衣料品１の前後方向は、筒状衣料品１を着用した際の着用者の前後方向に対応し、筒状衣料品１の左右方向は、筒状衣料品１を着用した際の着用者の左右方向に対応する。また、筒状衣料品１の左右方向の外方に向かう方向を側方と称する。
【００１９】
筒状衣料品１は、口元生地パーツ４と首回り生地パーツ７とを有し、口元生地パーツ４と首回り生地パーツ７を含む複数のパーツを組み合わせて形成される。筒状衣料品１を構成する各パーツは、筒状衣料品１の筒状の周面を複数に区分するように設けられる。口元生地パーツ４は、筒状衣料品１を着用した際に着用者の口とその周囲を覆うパーツであり、着用者の鼻や顎を覆うように形成されてもよい。首回り生地パーツ７は、筒状衣料品１を着用した際に着用者の首回りを覆うパーツであり、筒状に形成されている。なお、口元生地パーツ４は非筒状に形成されている。
【００２０】
筒状衣料品１は、口元生地パーツ４と首回り生地パーツ７が互いに異なるパーツから構成された上で、図２に示した筒状衣料品１の側面視で、口元生地パーツ４の前側縁４Ｆが前方に凸となる形状を有する。筒状衣料品１はこのように構成されることにより、筒状衣料品１を着用した際に、口元生地パーツ４をカップ状に立体的に形成することができる。そのため、筒状衣料品１を着用した際に、着用者の口の周りや鼻の周りに適度な空間が確保され、着用者が息苦しさを覚えにくくなる。例えば、筒状衣料品１を着用してランニングをした場合などでも、着用者が息苦しさを覚えにくくなるため、運動用に好適に用いることができる。
【００２１】
口元生地パーツ４は、筒状衣料品１の側面視で、前側縁４Ｆが前方に曲線状に凸となる形状に形成されていてもよく、折れ線状に凸となる形状に形成されていてもよい。口元生地パーツ４は、筒状衣料品１の側面視で、前側縁の上端と下端を結ぶ仮想線に対して、口元生地パーツ４の前側縁４Ｆがそれより前方に位置していることが好ましい。なお、口元生地パーツ４は、筒状衣料品１の前側縁の一部のみを含むように形成されることが好ましい。
【００２２】
口元生地パーツ４は、筒状衣料品１の上側開口縁２の一部を含むように形成されることが好ましい。すなわち、口元生地パーツ４の上側縁は、筒状衣料品１の上側開口縁２の一部を形成することが好ましい。図１および図２に示した筒状衣料品１では、上側開口縁２は口元生地パーツ４と首回り生地パーツ７から構成されることが好ましく、上側開口縁２は口元生地パーツ４の部分が上方に突出していることが好ましい。すなわち、上側開口縁２は、口元生地パーツ４の部分が首回り生地パーツ７の部分よりも上方に位置することが好ましい。これにより、筒状衣料品１を着用した際、口元生地パーツ４により着用者の口や鼻を安定して覆いやすくなる。口元生地パーツ４の上側縁（あるいは上側開口縁２の口元生地パーツ４の部分）は、前方に向かって上側に延びるように形成されていることが好ましく、口元生地パーツ４の前側縁４Ｆの上端が上側開口縁２の上端となるように形成されていることが好ましい。口元生地パーツ４の下側縁は、前方に向かって下側に延びるように形成されていることが好ましい。
【００２３】
口元生地パーツ４は、上下方向の長さが５ｃｍ以上であることが好ましく、７ｃｍ以上がより好ましく、また１６ｃｍ以下が好ましく、１４ｃｍ以下がより好ましい。口元生地パーツ４の上下方向の長さは、図２に示した筒状衣料品１の側面視において、口元生地パーツ４の上端と下端の間の上下方向の長さＨに相当する。口元生地パーツ４はまた、図２に示した筒状衣料品１の側面視において、口元生地パーツ４の前側縁４Ｆの前方端から口元生地パーツ４の後方端までの前後方向の長さＬが、８ｃｍ以上であることが好ましく、１２ｃｍ以上がより好ましく、また２０ｃｍ以下が好ましく、１８ｃｍ以下がより好ましい。
【００２４】
口元生地パーツ４は、単一の生地から形成されてもよく、複数の生地が繋ぎ合わさって形成されてもよい。なお、口元生地パーツ４は、図１に示すように左側口元生地パーツ４Ｌと右側口元生地パーツ４Ｒから構成されることが好ましく、左側口元生地パーツ４Ｌと右側口元生地パーツ４Ｒが、筒状衣料品１の側面視における前側縁４Ｆで互いに接続されていることが好ましい。このように口元生地パーツ４を構成することにより、口元生地パーツ４をカップ状に立体的に形成することが容易になる。
【００２５】
首回り生地パーツ７は、口元生地パーツ４の下方および後方に設けられることが好ましい。首回り生地パーツ７は、口元生地パーツ４よりも下方の部分で筒状に形成され、筒状衣料品１の側面視で、筒状衣料品１の前側縁の一部を含むように形成されることが好ましい。口元生地パーツ４はまた、筒状衣料品１の下側開口縁３の全体を含むように形成されることが好ましい。一方、首回り生地パーツ７は、口元生地パーツ４と上下方向に重なる位置で、口元生地パーツ４よりも後方に設けられることが好ましく、筒状衣料品１の上側開口縁２の一部を含むように形成されることが好ましい。
【００２６】
首回り生地パーツ７は、単一の生地から形成されてもよく、複数の生地が繋ぎ合わさって形成されてもよい。例えば、首回り生地パーツ７は、単一の生地が筒状に丸められて形成されてもよく、首回り生地パーツ７が左側首回り生地パーツと右側首回り生地パーツから構成され、左側首回り生地パーツと右側首回り生地パーツが、筒状衣料品１の側面視における前側縁と後側縁で互いに接続されて形成されてもよい。
【００２７】
口元生地パーツ４と首回り生地パーツ７は、例えば、編布や織布等の布地から構成することができる。筒状衣料品１を構成する各パーツは、通気性を高めるために、メッシュ生地を含んで構成されてもよい。また、夏用の筒状衣料品として、各パーツを吸湿冷感素材や接触冷感素材などから構成したり、冬用の筒状衣料品として、各パーツを吸湿発熱素材や起毛素材などから構成したり、あるいは各パーツを紫外線カット機能や赤外線カット機能を有する素材から構成することもできる。口元生地パーツ４は、抗菌加工素材や抗ウィルス加工素材から構成してもよい。
【００２８】
織布の織組織や編布の編組織は特に限定されず、公知の織組織や編組織を採用できる。織布の織組織としては、平織、綾織、朱子織等が挙げられ、編布の編組織としては、平編、ゴム編、両面編、ハーフ編等が挙げられる。織布や編布には、メッシュ生地のように大きな開口は形成されず、織布や編布に形成される隙間（織布や編布を構成する糸間の隙間）の大きさは、円相当径で０．３ｍｍ未満（好ましくは０．２ｍｍ以下であり、より好ましくは０．１ｍｍ以下）となる。織布や編布としては、高密度織布や高密度編布を用いることが好ましい。
【００２９】
口元生地パーツ４と首回り生地パーツ７を含む筒状衣料品１を構成する複数のパーツは、縫製、シームテープ、溶着、接着剤等の公知の接合手段により、互いに接続することができる。縫製方法は特に限定されないが、例えばフラットシーマ（４本針縫製）を採用すれば、縫合部分での引っ掛かりが少なくなる点で好ましい。
【００３０】
口元生地パーツ４は首回り生地パーツ７と直接接続してもよく、他のパーツを介して接続してもよい。図１および図２に示した筒状衣料品１では、口元生地パーツ４と首回り生地パーツ７とが直接接続されている。なお、口元生地パーツ４と首回り生地パーツ７の接続部分の構成は接続手段の種類により変わり、接続手段の種類に応じて、口元生地パーツ４の端縁と首回り生地パーツ７の端縁が互いに重ね合わされたり、付き合わされて、互いに接続される。
【００３１】
口元生地パーツ４と首回り生地パーツ７は、単層から構成されていてもよく、複数層から構成されていてもよい。なお、口元生地パーツ４は複数層から構成されていることが好ましく、これにより、着用者の口から飛沫が飛び散るのを抑えたり、また着用者の口に異物が入り込むのを抑えることができる。例えば、図３に示すように、口元生地パーツ４は、内側層５と外側層６を有するように構成することができる。口元生地パーツ４が着用者の鼻も覆うように形成される場合は、着用者の鼻に異物が入り込むのも抑えることができる。一方、首回り生地パーツ７は口元生地パーツ４よりも少ない層数から構成されていることが好ましく、これにより、着用者の首回りで筒状衣料品１がかさばらず、筒状衣料品１の着用感を向上させることができる。
【００３２】
口元生地パーツ４は、内側層５と外側層６を有し、内側層５がメッシュ生地から構成され、外側層６が織布または編布から構成されることが好ましい。このように口元生地パーツ４が構成されていれば、筒状衣料品１を着用した際に、口元生地パーツ４の内側層５が着用者の口に張り付きにくくなり、着用者が息苦しさを覚えにくくなる。一方、口元生地パーツ４の外側層６が織布または編布から構成されることにより、着用者の口から飛沫が飛び散るのを抑えたり、着用者の口に異物が入り込むのを抑えることができる。なお図３に示した断面図では、口元生地パーツ４と首回り生地パーツ７の層構造を模式的に示しており、口元生地パーツ４と首回り生地パーツ７の接続部分の構成は省略して示されている。下記の図６および図９の断面図も同様である。
【００３３】
メッシュ生地は、衣料に一般的に用いられるメッシュ生地を用いることができる。メッシュ生地の開口形状は特に限定されない。メッシュ生地は、例えば、円相当径として０．３ｍｍ〜１０ｍｍの開口が形成されていることが好ましく、より好ましくは円相当径として０．５ｍｍ〜５ｍｍの開口が形成されている。円相当径は、メッシュ生地に負荷をかけずに平面状に置いた状態で、メッシュ生地に形成された各開口の面積を測定し、それと等面積の円の直径を算出することにより求められる。メッシュ生地の開口率は、例えば、１０％〜４０％であることが好ましく、１５％〜３０％であることがより好ましい。開口率は、メッシュ生地に負荷をかけずに平面状に置いた状態で、メッシュ生地に形成された各開口の面積を測定し、これをメッシュ生地の面積（開口を含む面積）で除することにより求められる。
【００３４】
首回り生地パーツ７は、織布または編布から構成されていることが好ましく、より好ましくは、織布または編布の単層から構成されている。このように首回り生地パーツ７が構成されていれば、首回り生地パーツ７がストレッチ性に優れるものとなり、着用者が筒状衣料品１を着用した状態で首を動かしやすくなる。首回り生地パーツ７は、上下方向と前後方向（または左右方向）の両方に対してストレッチ性を有していることが好ましい。
【００３５】
口元生地パーツ４の伸長応力は首回り生地パーツ７の伸長応力よりも大きいことが好ましい。このように筒状衣料品１が構成されることにより、口元生地パーツ４によって着用者の口や鼻を安定して覆いやすくなるとともに、口元生地パーツ４が着用者の口や鼻に過度に密着せず、着用感を高めることができる。伸長応力は、口元生地パーツ４または首回り生地パーツ７を３０％伸長させた際の伸長応力として規定される。伸長応力は、測定対象となる試験片を引張試験機で引っ張り、その際の応力を測定することにより求める。具体的には、１インチ（２．５４ｃｍ）の幅で切り出した試験片を、つかみ間隔が１００ｍｍとなるように留め具間に固定する。そして、試験片を引張速度２００ｍｍ／分で引っ張りながら、留め具間の距離が１３０ｍｍになったときの応力を測定する。口元生地パーツ４または首回り生地パーツ７が複数層から構成される場合は、複数層合わせた各パーツの伸長応力を測定する。
【００３６】
筒状衣料品１は、上側開口縁２の長さが下側開口縁３の長さよりも長いことが好ましい。このように筒状衣料品１が構成されていれば、筒状衣料品１を着用した際、着用者の口や鼻が筒状衣料品１によって強く押さえつけられず、筒状衣料品１の着用感が向上する。
【００３７】
筒状衣料品１には、上側開口縁２に沿って、上側開口の大きさを調節できる絞り紐９が設けられていることが好ましい。このように絞り紐９が設けられていれば、着用者の口や鼻を覆うように筒状衣料品１を着用した際、絞り紐９を引っ張って上側開口の大きさを絞ることで、筒状衣料品１を安定して着用することができる。図１および図２では、筒状衣料品１の上側開口縁２に沿って縫合線１１が設けられ、上側開口縁２と縫合線１１の間の部分が二重構造となっており、この二重構造の間に絞り紐９が挿通されている。なお、筒状衣料品１には、耳にかける紐状部材などは設けられなくてよい。
【００３８】
絞り紐９には、絞り紐９の係止位置を調節するストッパー１０が設けられていることが好ましい。これにより、絞り紐９を引っ張って上側開口の大きさを絞った状態を、安定して保持することができる。そのため、例えば上側開口縁２が着用者の耳の下の位置にくるように筒状衣料品１を着用しても、筒状衣料品１がずれ落ちにくくなり、運動の際なども安定して着用することができ、快適性が向上する。
【００３９】
図４〜図６には、本考案の筒状衣料品の他の構成例を示した。図４には、筒状衣料品の斜視図が示され、図５には、図４に示した筒状衣料品を側面から見た平面図が示されており、図６には、図５に示した筒状衣料品のＶＩ−ＶＩ断面の模式図が示されている。図４〜図６において、図１〜図３に示した筒状衣料品と同じ構成部材は同一の参照符号を用いて示されている。下記の図４〜図６の筒状衣料品の説明において、上記と重複する部分の説明は省略する。
【００４０】
図４〜図６に示した筒状衣料品１は、口元生地パーツ４と首回り生地パーツ７に加え、口元生地パーツ４と首回り生地パーツ７の間に接続パーツ８が設けられている。筒状衣料品１は、このようにさらに接続パーツ８を有するものであってもよい。この場合、接続パーツ８はメッシュ生地から構成されていることが好ましい。このように、口元生地パーツ４と首回り生地パーツ７の間にメッシュ生地から構成された接続パーツ８が設けられていれば、筒状衣料品１を着用した際に、接続パーツ８での通気性が高まり、着用者が息苦しさを覚えにくくなる。一方、着用者の口は口元生地パーツ４で覆われるため、着用者の口から飛沫が飛び散るのを抑えたり、また着用者の口に異物が入り込むのを抑えることができる。
【００４１】
接続パーツ８は、単一の生地から形成されてもよく、複数の生地が繋ぎ合わさって形成されてもよい。接続パーツ８は、口元生地パーツ４と首回り生地パーツ７と接続されるように設けられる。接続パーツ８は、メッシュ生地のみから構成されていることが好ましい。接続パーツ８のメッシュ生地の説明は、上記の口元生地パーツ４の内側層５のメッシュ生地の説明が参照される。
【００４２】
接続パーツ８は、口元生地パーツ４の側方に設けられ、口元生地パーツ４の下方には設けられていないことが好ましい。あるいは、接続パーツ８は、口元生地パーツ４の側方から下方にかけて設けられ、口元生地パーツ４の側方側の幅が口元生地パーツ４の下方側の幅よりも広いことが好ましい。このように接続パーツ８が設けられていれば、筒状衣料品１を着用した際に、口元生地パーツ４で着用者の口元を安定して覆うことができる。また、接続パーツ８がメッシュ生地から構成される場合は、接続パーツ８を介して筒状衣料品１の内側と外側での通気性を高めることができる。接続パーツ８は、最大幅が例えば５ｍｍ〜２５ｍｍとなるように形成されることが好ましい。
【００４３】
図４および図５に示した筒状衣料品１は、口元生地パーツ４が単層から構成されていてもよく、複数層から構成されていてもよい。なお図６に示した断面図では、口元生地パーツ４は内側層５と外側層６を有し、内側層５がメッシュ生地から構成され、外側層６が織布または編布から構成されている。
【００４４】
図７〜図９には、本考案の筒状衣料品のさらに他の構成例を示した。図７には、筒状衣料品の斜視図が示され、図８には、図７に示した筒状衣料品を側面から見た平面図が示されており、図９には、図７に示した筒状衣料品のＩＸ−ＩＸ断面の模式図が示されている。図７〜図９において、図１〜図３に示した筒状衣料品と同じ構成部材は同一の参照符号を用いて示されている。下記の図７〜図９の筒状衣料品の説明において、上記と重複する部分の説明は省略する。
【００４５】
図７〜図９に示した筒状衣料品１は、口元生地パーツ４と首回り生地パーツ７を有し、口元生地パーツ４が内側層５と外側層６を有し、内側層５がメッシュ生地から構成され、外側層６が織布または編布から構成されている。そして、内側層５は、外側層６の外縁よりも外方に延在して、外側層６と首回り生地パーツ７の間にメッシュ生地から構成された接続領域４Ｃが形成されている。接続領域４Ｃは、口元生地パーツ４の一部として、口元生地パーツ４の周縁部に形成されている。このように筒状衣料品１が形成されていても、筒状衣料品１を着用した際に、接続領域４Ｃでの通気性が高まり、着用者が息苦しさを覚えにくくなる。一方、着用者の口は口元生地パーツ４の外側層６で覆われるため、着用者の口から飛沫が飛び散るのを抑えたり、また着用者の口に異物が入り込むのを抑えることができる。なお、内側層５および接続領域４Ｃは、必ずしもメッシュ生地から構成されなくてもよい。
【００４６】
接続領域４Ｃは、口元生地パーツ４の側方に設けられ、口元生地パーツ４の下方には設けられていないことが好ましい。あるいは、接続領域４Ｃは、口元生地パーツ４の側方から下方にかけて設けられ、口元生地パーツ４の側方側の幅が口元生地パーツ４の下方側の幅よりも広いことが好ましい。このように接続領域４Ｃが設けられていれば、筒状衣料品１を着用した際に、口元生地パーツ４で着用者の口元を安定して覆うことができる。また、接続領域４Ｃがメッシュ生地から構成される場合は、接続領域４Ｃを介して筒状衣料品１の内側と外側での通気性を高めることができる。接続領域４Ｃは、最大幅が例えば５ｍｍ〜２５ｍｍとなるように形成されることが好ましい。
【符号の説明】
【００４７】
１：筒状衣料品
２：上側開口縁
３：下側開口縁
４：口元生地パーツ、４Ｌ：左側口元生地パーツ、４Ｒ：右側口元生地パーツ、４Ｆ：前側縁、４Ｃ：接続領域
５：内側層
６：外側層
７：首回り生地パーツ
８：接続パーツ
９：絞り紐
１０：ストッパー
１１：縫合線
【図１】
0003231498.tif 000003
【図２】
0003231498.tif 000004
【図３】
0003231498.tif 000005
【図４】
0003231498.tif 000006
【図５】
0003231498.tif 000007
【図６】
0003231498.tif 000008
【図７】
0003231498.tif 000009
【図８】
0003231498.tif 000010
【図９】
0003231498.tif 000011
【手続補正書】
【提出日】令和3年2月2日(2021.2.2)
【手続補正１】
【補正対象書類名】実用新案登録請求の範囲
【補正対象項目名】全文
【補正方法】変更
【補正の内容】
【実用新案登録請求の範囲】
【請求項１】
口元生地パーツと首回り生地パーツとを有する筒状衣料品であって、
筒状衣料品の側面視で、前記口元生地パーツの前側縁が前方に凸となる形状を有することを特徴とする筒状衣料品。
【請求項２】
前記口元生地パーツは内側層と外側層を有する請求項１に記載の筒状衣料品。
【請求項３】
前記内側層がメッシュ生地から構成され、前記外側層が織布または編布から構成されている請求項２に記載の筒状衣料品。
【請求項４】
前記口元生地パーツと前記首回り生地パーツの間に接続パーツが設けられている請求項１〜３のいずれか一項に記載の筒状衣料品。
【請求項５】
前記内側層は前記外側層の外縁よりも外方に延在しており、前記外側層と前記首回り生地パーツの間に、前記内側層の生地から構成された接続領域が形成されている請求項２または３に記載の筒状衣料品。
【請求項６】
前記接続パーツはメッシュ生地から構成されている請求項４に記載の筒状衣料品。
【請求項７】
前記接続領域はメッシュ生地から構成されている請求項５に記載の筒状衣料品。
【請求項８】
前記接続パーツは、前記口元生地パーツの側方に設けられ、前記口元生地パーツの下方には設けられていない請求項４または６に記載の筒状衣料品。
【請求項９】
前記接続領域は、前記口元生地パーツの側方に設けられ、前記口元生地パーツの下方には設けられていない請求項５または７に記載の筒状衣料品。
【請求項１０】
前記接続パーツは、前記口元生地パーツの側方から下方にかけて設けられ、前記口元生地パーツの側方側の幅が前記口元生地パーツの下方側の幅よりも広い請求項４、６または８に記載の筒状衣料品。
【請求項１１】
前記接続領域は、前記口元生地パーツの側方から下方にかけて設けられ、前記口元生地パーツの側方側の幅が前記口元生地パーツの下方側の幅よりも広い請求項５、７または９に記載の筒状衣料品。
【請求項１２】
前記口元生地パーツの伸長応力は前記首回り生地パーツの伸長応力よりも大きい請求項１〜１１のいずれか一項に記載の筒状衣料品。
【請求項１３】
前記筒状衣料品は、上側開口縁の長さが下側開口縁の長さよりも長い請求項１〜１２のいずれか一項に記載の筒状衣料品。
【請求項１４】
前記筒状衣料品には、上側開口縁に沿って、上側開口の大きさを調節できる絞り紐が設けられている請求項１〜１３のいずれか一項に記載の筒状衣料品。